(57)【要約】【課題】信号線導体の周囲に形成される絶縁体の均一性を向上させる。【解決手段】差動信号伝送用ケーブル１Ａは、一対の信号線導体２ａ，２ｂと、発泡絶縁材料により形成され、一対の信号線導体２ａ，２ｂを一括被覆する絶縁体３と、を備える。そして、一方の信号線導体２ａの周囲における絶縁体３の発泡度を第１発泡度とし、他方の信号線導体２ｂの周囲における絶縁体３の発泡度を第２発泡度としたとき、長手方向の異なる２以上の領域（第１領域１１及び第２領域２１）において、第１発泡度と第２発泡度との差が５．０％以内に保たれている。【選択図】図５
2015146298.tif 000002
【特許請求の範囲】
【請求項１】
一対の信号線導体と、発泡絶縁材料により形成され、前記一対の信号線導体を一括被覆する絶縁体と、を備える差動信号伝送用ケーブルの製造方法であって、
前記一対の信号線導体の周囲に前記発泡絶縁材料を押し出す被覆工程において、前記一対の信号線導体の温度差を１０℃以内に維持する、
差動信号伝送用ケーブルの製造方法。
【請求項２】
請求項１に記載の差動信号伝送用ケーブルの製造方法であって、
前記被覆工程における前記一対の信号線導体の温度差が１０℃以内に維持されるように、前記被覆工程に先立って前記一対の信号線導体を加熱する予熱工程を有する、
差動信号伝送用ケーブルの製造方法。
【請求項３】
請求項２に記載の差動信号伝送用ケーブルの製造方法であって、
前記予熱工程では、前記一対の信号線導体の温度差に基づいて、一方の信号線導体に対する加熱温度と他方の信号線導体に対する加熱温度の少なくとも何れか一方を調節する、
差動信号伝送用ケーブルの製造方法。
【請求項４】
一対の信号線導体と、発泡絶縁材料により形成され、前記一対の信号線導体を一括被覆する絶縁体と、を備える差動信号伝送用ケーブルであって、
一方の信号線導体の周囲における前記絶縁体の発泡度を第１発泡度とし、他方の信号線導体の周囲における前記絶縁体の発泡度を第２発泡度としたとき、
長手方向の異なる２以上の領域において、前記第１発泡度と前記第２発泡度との差が５．０％以内である、
差動信号伝送用ケーブル。
【請求項５】
請求項４に記載の差動信号伝送用ケーブルであって、
任意の長さに切断された前記差動信号伝送用ケーブルの一方の端面を含む第１領域および他方の端面を含む第２領域において、前記第１発泡度と前記第２発泡度との差が５．０％以内である、
差動信号伝送用ケーブル。
【請求項６】
請求項４または５に記載の差動信号伝送用ケーブルであって、
前記一方の信号線導体のキャパシタンスと前記他方の信号線導体のキャパシタンスとの差が１．０％以内である、
差動信号伝送用ケーブル。
【発明の詳細な説明】
【技術分野】
【０００１】
本発明は、互いに位相が異なる２以上の信号を伝送するための差動信号伝送用ケーブル及びその製造方法に関する。
【背景技術】
【０００２】
数Gbit／s以上の高速デジタル信号を扱うサーバ，ルータ，ストレージなどの機器においては、差動インターフェース規格（例えば、ＬＶＤＳ（Low Voltage Differential Signal））が採用され、各機器間あるいは機器内の各回路基板間では、差動信号伝送用ケーブルを用いて差動信号の伝送が行われている。差動信号は、システム電源の低電圧化を実現しつつ外来ノイズに対する耐性が高いという利点を有している。
【０００３】
一般的な差動信号伝送用ケーブルは、平行に並べられた一対の信号線導体と、これら信号線導体の周囲に設けられた絶縁体と、絶縁体の周囲に巻かれたシールドテープと、シールドテープの周囲に巻かれた押さえテープと、を備えている。すなわち、２本の信号線導体は絶縁体によって一括被覆されている。それぞれの信号線導体には、位相を１８０度反転させたプラス側（ポジティブ）信号およびマイナス側（ネガティブ）信号がそれぞれ伝送される。これらの２つの信号（プラス側信号およびマイナス側信号）の電位差が信号レベルとなって、例えば電位差がプラスであれば「High」，マイナスであれば「Low」として、当該信号レベルを受信側で認識できるようになっている。
【０００４】
ここで、一対の信号線導体を一括被覆する絶縁体は、一対の信号線導体の周囲に発泡絶縁材料を押出し被覆して形成される（特許文献１）。具体的には、予熱された２本の信号線導体が被覆装置の押出ヘッドの内部に導入される。押出ヘッドは、口金と該口金の内側に配置された心金とからなる二重構造を備えている。心金の中心には貫通孔が設けられており、心金と口金との間には心金の全周に亘って隙間が設けられている。すなわち、貫通孔の周囲に環状の供給路が設けられている。
【０００５】
差動信号伝送用ケーブルの製造工程では、予熱された２本の信号線導体を心金の貫通孔を通して心金の外に送り出しつつ、送り出される信号線導体の周囲に供給路を通して発泡絶縁材料を吐出させて、２本の信号線導体を一括被覆する絶縁体（絶縁層）が形成される。
【先行技術文献】
【特許文献】
【０００６】
【特許文献１】特開２０００−４８６５３号公報
【発明の概要】
【発明が解決しようとする課題】
【０００７】
上記のように、差動信号伝送用ケーブルの製造方法には、信号線導体の周囲に発泡絶縁材料を押出して絶縁体を形成する工程（以下“被覆工程”と呼ぶ。）が含まれる。しかし、かかる被覆工程において形成される絶縁体の均一性が低いと、差動信号伝送用ケーブルの伝送特性が悪くなる。特に、一方の信号線導体の周囲における気泡の直径と他方の信号線導体の周囲における気泡の直径とが異なると、スキュー（Skew）が著しく増加する。
【０００８】
本発明の目的は、信号線導体の周囲に形成される絶縁体の均一性を向上させることである。
【課題を解決するための手段】
【０００９】
本発明に係る製造方法は、一対の信号線導体と、発泡絶縁材料により形成され、前記一対の信号線導体を一括被覆する絶縁体と、を備える差動信号伝送用ケーブルの製造方法である。本発明の一態様では、前記一対の信号線導体の周囲に前記発泡絶縁材料を押し出す被覆工程において、前記一対の信号線導体の温度差が１０℃以内に維持される。
【００１０】
本発明の他の態様では、前記被覆工程における前記一対の信号線導体の温度差が１０℃以内に維持されるように、前記被覆工程に先立って前記一対の信号線導体を加熱する予熱工程が行われる。
【００１１】
本発明の他の態様では、前記予熱工程において、前記一対の信号線導体の温度差に基づいて、一方の信号線導体に対する加熱温度と他方の信号線導体に対する加熱温度の少なくとも何れか一方が調節される。
【００１２】
本発明に係る差動信号伝送用ケーブルは、一対の信号線導体と、発泡絶縁材料により形成され、前記一対の信号線導体を一括被覆する絶縁体と、を備える。さらに、一方の信号線導体の周囲における前記絶縁体の発泡度を第１発泡度とし、他方の信号線導体の周囲における前記絶縁体の発泡度を第２発泡度としたとき、長手方向の異なる２以上の領域において、前記第１発泡度と前記第２発泡度との差が５．０％以内である。
【００１３】
本発明の他の態様では、任意の長さに切断された前記差動信号伝送用ケーブルの一方の端面を含む第１領域および他方の端面を含む第２領域において、前記第１発泡度と前記第２発泡度との差が５．０％以内である。
【００１４】
本発明の他の態様では、前記一方の信号線導体のキャパシタンスと前記他方の信号線導体のキャパシタンスとの差が１．０％以内である。
【発明の効果】
【００１５】
本発明によれば、信号線導体が均一性の高い絶縁体によって被覆された差動信号伝送用ケーブルが実現される。
【図面の簡単な説明】
【００１６】
【図１】本発明が適用された差動信号伝送用ケーブルの構造を示す斜視図である。
【図２】図１に示される差動信号伝送用ケーブルの横断面を示す断面図である。
【図３】図１に示される差動信号伝送用ケーブルの水平断面を示す斜視図である。
【図４】図１に示される差動信号伝送用ケーブルの垂直断面を示す斜視図である。
【図５】（ａ）は図１に示す差動信号伝送用ケーブルの平面図であり、（ｂ）はサンプルの水平断面を示す拡大図である。
【図６】（ａ）は図１に示される差動信号伝送用ケーブルの製造に用いられる被覆装置の構成図であり、（ｂ）は（ａ）に示される押出ヘッドの拡大断面図である。
【発明を実施するための形態】
【００１７】
以下、本発明の実施形態の一例について図面を参照しながら詳細に説明する。図１に示される差動信号伝送用ケーブル１Ａは、一対の信号線導体２ａ，２ｂと、これら信号線導体２ａ，２ｂを一括被覆する絶縁体３と、絶縁体３を被覆するスキン層４と、スキン層４を被覆するシールド層５と、シールド層５を被覆する押さえテープ６と、を有する。
【００１８】
一対の信号線導体２ａ，２ｂのそれぞれは、表面に銀めっき処理が施された円形断面の軟銅線（Silver Plated Copper Wire）である。一対の信号線導体２ａ，２ｂのいずれか一方にはプラス側（ポジティブ）信号が伝送され、一対の信号線導体２ａ，２ｂのいずれか他方にはマイナス側（ネガティブ）信号が伝送される。
【００１９】
絶縁体３は発泡絶縁材料によって形成されており、絶縁体３には多数の気泡が含まれている。絶縁体３は、２本の信号線導体２ａ，２ｂが所定間隔で平行に並ぶように、これら信号線導体２ａ，２ｂを保持している。また、それぞれの信号線導体２ａ，２ｂの周囲における絶縁体３の肉厚は略同一である。
【００２０】
絶縁体３の周囲に設けられているスキン層４は、発泡していない薄膜又は絶縁体３に比べて発泡度が小さい薄膜である。スキン層４の材料としては、例えば、テトラフルオロエチレン・パーフルオロアルキルビニルエーテル共重合体（ＰＦＡ），テトラフルオロエチレン・ヘキサフルオロプロピレン共重合体（ＦＥＰ），エチレン・テトラフルオロエチレン共重合体（ＥＴＦＥ）などを用いることができる。もっとも、スキン層４の材料は特定の材料に限定されるものではない。
【００２１】
スキン層４の周囲に設けられているシールド層５は、スキン層４の周囲に巻き付けられたシールドテープによって形成されている。図示は省略されているが、シールドテープは、シート状の基材と該基材の一面に形成された金属導体層とからなる二重構造を有しており、金属導体層は、例えば銅箔やアルミニウム箔によって形成される。
【００２２】
シールド層５を形成しているシールドテープは、金属導体層を内側にしてスキン層４の周囲に縦添え巻きされている。よって、シールドテープの両端部は互いに重なり合っている。もっとも、螺旋巻き（横巻き）されたシールドテープによってシールド層５が形成される実施形態もある。また、シールドテープが金属導体層を外側にしてスキン層４の周囲に縦添え巻きされ、または螺旋巻き（横巻き）される実施形態もある。
【００２３】
シールド層５の周囲には、シールドテープを保持するための押さえテープ６が螺旋状に巻かれている。さらに、押さえテープ６の周囲にはジャケット（“シース”と呼ばれることもある。）が設けられている。ジャケットの材料としては、ポリエチレン，ポリプロピレン，ポリ塩化ビニル，エチレン−酢酸ビニル共重合体，フッ素樹脂，ハロゲンフリー難燃ポリオレフィン，軟質塩化ビニル樹脂などを用いることができる。
【００２４】
図１に示される差動信号伝送用ケーブル１Ａは後述する製造方法によって製造されており、絶縁体３は高い均一性を備えている。具体的には、差動信号伝送用ケーブル１Ａの長手方向（Ｚ方向）において、絶縁体３の発泡度のバラツキが小さい。換言すれば、本実施形態に係る差動信号伝送用ケーブル１Ａでは、信号線導体２ａの周囲における絶縁体３の発泡度と信号線導体２ｂの周囲における絶縁体３の発泡度との差が所定範囲内に保たれている。“発泡度”とは、絶縁体３の任意の断面の面積と、その断面中の気泡の面積との比率である。
【００２５】
ここで、図２に示されるように、信号線導体２ａの中心と信号線導体２ｂの中心とを結ぶ直線を“直線Ｓ１”と定義する。また、直線Ｓ１の中点において該直線Ｓ１と直交する直線を“直線Ｓ２”と定義する。以下の説明では、直線Ｓ１，Ｓ２を含む差動信号伝送用ケーブル１Ａの断面を“横断面”と呼ぶ。また、直線Ｓ１を含む差動信号伝送用ケーブル１Ａの断面を“水平断面”と呼ぶ。さらに、直線Ｓ２を含む差動信号伝送用ケーブル１Ａの断面を“垂直断面”と呼ぶ。
【００２６】
すなわち、図２に示されている断面は、差動信号伝送用ケーブル１Ａの横断面の１つである。また、図３に示されている断面は、差動信号伝送用ケーブル１Ａの水平断面の１つである。さらに、図４に示されている断面は、差動信号伝送用ケーブル１Ａの垂直断面の１つである。換言すれば、差動信号伝送用ケーブル１Ａの横断面は、差動信号伝送用ケーブル１Ａの長手方向（Ｚ方向）に対して直角な断面である。一方、差動信号伝送用ケーブル１Ａの水平断面及び垂直断面は、差動信号伝送用ケーブル１Ａの長手方向（Ｚ方向）に対して平行な断面である。さらに、差動信号伝送用ケーブル１Ａの水平断面と垂直断面とは、互いに直交する断面である。
【００２７】
また、差動信号伝送用ケーブル１Ａの横断面は、差動信号伝送用ケーブル１Ａの長手方向（Ｚ方向）に沿って多数存在する。一方、差動信号伝送用ケーブル１Ａの水平断面は、図３に示されている断面及び該断面と対向する断面の２つである。また、差動信号伝送用ケーブル１Ａの垂直断面は、図４に示されている断面及び該断面と対向する断面の２つである。
【００２８】
上述のように、本実施形態に係る差動信号伝送用ケーブル１Ａでは、信号線導体２ａの周囲における絶縁体３の発泡度と信号線導体２ｂの周囲における絶縁体３の発泡度との差が所定範囲内に保たれている。ここで、信号線導体２ａの周囲における絶縁体３とは、図２に示される直線Ｓ２を含む平面によって絶縁体３を二分したときに、すなわち、図４に示されるように絶縁体３を二分したときに、信号線導体２ａの周囲に残る絶縁体３の一部（絶縁体３の半分）を意味する。一方、信号線導体２ｂの周囲における絶縁体３とは、図２に示される直線Ｓ２を含む平面によって絶縁体３を二分したときに、すなわち、図４に示されるように絶縁体３を二分したときに、信号線導体２ｂの周囲に残る絶縁体３の他の一部（絶縁体３の他の半分）を意味する。すなわち、図２において、直線Ｓ２よりも左側に位置する絶縁体３の一部が信号線導体２ａの周囲の絶縁体３であり、直線Ｓ２よりも右側に位置する絶縁体３の他の一部が信号線導体２ｂの周囲の絶縁体３である。そこで、以下の説明では、信号線導体２ａの周囲の絶縁体３を“左側絶縁体３ａ”と呼び、信号線導体２ｂの周囲の絶縁体３を“右側絶縁体３ｂ”と呼ぶ。また、左側絶縁体３ａの発泡度を“第１発泡度”と呼び、右側絶縁体３ｂの発泡度を“第２発泡度”と呼ぶ。すなわち、本実施形態に係る差動信号伝送用ケーブル１Ａでは、第１発泡度と第２発泡度との差が所定範囲内に保たれている。具体的には、差動信号伝送用ケーブル１Ａの長手方向（Ｚ方向）の異なる２以上の領域において、第１発泡度と第２発泡度との差が５．０％以内に保たれている。尚、図２〜図４では、図１に示されている押さえテープ６の図示は省略されている。
【００２９】
従って、本実施形態に係る差動信号伝送用ケーブル１Ａを任意の長さに切断したとき、切り出された差動信号伝送用ケーブル１Ａの一部の一端部における第１発泡度と第２発泡度との差は５．０％以内であり、かつ、切り出された差動信号伝送用ケーブル１Ａの一部の他端部における第１発泡度と第２発泡度との差も５．０％以内である。以下、図５（ａ），（ｂ）を参照しながら具体的に説明する。
【００３０】
図５（ａ）に示されるように、差動信号伝送用ケーブル１Ａを任意の長さに切断する。図５（ａ）では、差動信号伝送用ケーブル１Ａの切断位置を２本の破線によって示してある。また、以下の説明では、任意の長さに切り出された差動信号伝送用ケーブル１Ａの一部を“サンプル１ａ”と呼ぶ。すなわち、図５（ａ）に示されるサンプル１ａの両端部において、第１発泡度と第２発泡度との差が５．０％以内に保たれている。
【００３１】
図５（ｂ）を参照しつつ、より具体的に説明する。図５（ｂ）は、サンプル１ａの水平断面を示す拡大図である。図５（ｂ）に示されるサンプル１ａの長さ（Ｌ）は１０ｃｍである。また、サンプル１ａの一方の端部（第１領域１１）は、サンプル１ａの一方の端面１２を含む、該端面１２から０．５ｃｍの範囲内の部分である。また、サンプル１ａの他方の端部（第２領域２１）は、サンプル１ａの他方の端面２２を含む、該端面２２から０．５ｃｍの範囲内の部分である。すなわち、第１領域１１の長さ（Ｌ１）及び第２領域２１の長さ（Ｌ２）は、０．５ｃｍである（Ｌ１＝Ｌ２）。
【００３２】
図５（ｂ）に示されるように、サンプル１ａの第１領域１１では、左側絶縁体３ａ及び右側絶縁体３ｂに、直径が略同一の多数の気泡３０が略均一に含まれている。同様に、サンプル１ａの第２領域２１では、左側絶縁体３ａ及び右側絶縁体３ｂに、直径が略同一の多数の気泡３０が略均一に含まれている。具体的には、図５（ｂ）に示されている第１領域１１における左側絶縁体３ａと右側絶縁体３ｂの発泡度の差は５．０％以内である。また、図５（ｂ）に示されている第２領域２１における左側絶縁体３ａと右側絶縁体３ｂの発泡度の差も５．０％以内である。
【００３３】
ここで、各領域における発泡度は次のようにして求めた。まず、図５（ｂ）に示されているサンプル１ａの水平断面を電子顕微鏡によって撮影する。次に、サンプル１ａに含まれる絶縁体３の発泡度を該絶縁体３の比重測定によって求める。測定方法は、JIS Z 8807:2012「固体の密度及び比重測定方法」に従う。次いで、撮影した画像を白黒に２値化し、サンプル１ａの水平断面を気泡３０の部分と気泡壁の部分（気泡３０ではない部分）とに分ける。白黒の比率は、測定した発泡度に合わせる。その後、画像中の白の部分と黒の部分の面積（画素数）を求めて、次式により水平断面内における発泡度を算出する。
発泡度＝Ｂ／（Ａ＋Ｂ）×１００（％）
Ａ：気泡壁画素数（黒）
Ｂ：気泡画素数（白）
以上のようにして、第１領域１１における左側絶縁体３ａと右側絶縁体３ｂの発泡度を算出して比較する。同様にして、第２領域２１における左側絶縁体３ａと右側絶縁体３ｂの発泡度を算出して比較する。
【００３４】
以上のように、本実施形態に係る差動信号伝送用ケーブル１Ａでは、長手方向（Ｚ方向）における絶縁体３の発泡度のバラツキが所定範囲内に保たれている。よって、一方の信号線導体２ａのキャパシタンスと他方の信号線導体２ｂのキャパシタンスとの差が１．０％以内に保たれる。この結果、本実施形態に係る差動信号伝送用ケーブル１Ａは良好な伝送特性を備えており、該差動信号伝送用ケーブル１Ａを用いた差動伝送ではスキュー（Skew）の増加が抑制される。
【００３５】
次に、本実施形態に係る差動信号伝送用ケーブル１Ａの製造方法について説明する。差動信号伝送用ケーブル１Ａの製造方法は、一対の信号線導体２ａ，２ｂを加熱する予熱工程と、予熱された信号線導体２ａ，２ｂの周囲に絶縁体３を形成する被覆工程と、を少なくとも含む。
【００３６】
被覆工程は、例えば図６（ａ）に示される被覆装置４０を用いて行われる。図示されている被覆装置４０は、押出ヘッド５０と、発泡絶縁材料を押出ヘッド５０に供給する供給機構６０と、を備えている。
【００３７】
図６（ａ）に示されるように、供給機構６０は、発泡絶縁材料３１が投入されるホッパ６１と、ホッパ６１及び押出ヘッド５０にそれぞれ連通するシリンダ６２と、シリンダ６２内で回転するスクリュ６３と、を備えている。一方、図６（ｂ）に示されるように、押出ヘッド５０は、口金５１と該口金５１の内側に配置された心金５２とからなる二重構造を備えている。心金５２は、略円錐形の形状を有し、その中心には貫通孔（不図示）が設けられている。また、口金５１と心金５２との間には、心金５２の全周に亘って隙間５３が設けられている。すなわち、心金５２の周囲に環状の供給路５３が設けられている。
【００３８】
図６（ａ）に示されるように、ペレット状に成形された発泡絶縁材料３１が供給機構６０のホッパ６１に投入される。ここで、発泡絶縁材料３１は、樹脂材料と化学発泡剤を含む。樹脂材料としては、例えばポリオレフィンを用いることができる。具体的には、低密度ポリエチレン，高密度ポリエチレン，直鎖状低密度ポリエチレン，超低密度ポリエチレン，エチレン−ヘキセン共重合体，エチレン−オクテン共重合体，エチレン−酢酸ビニル共重合体，エチレン−エチルアクリレート共重合体，エチレン−メチルアクリレート共重合体，エチレン−メチルメタクリレート共重合体，ポリプロピレン，エチレン共重合体ポリプロピレン，リアクタブレンド型ポリプロピレン，シクロオレフィンポリマ，ポリ−４−メチル−１−ペンテンが挙げられる。これら樹脂材料は単独で用いてもよく、２種以上をブレンドして用いてもよい。
【００３９】
一方、化学発泡剤としては、アゾジカルボンアミド，アゾビスイソブチロニトリル，バリウムアゾジカルボキシレート，ジニトロソペンタメチレンテトラミン，４，４’−オキシビス（ベンゼンスルホニルヒドラジッド），Ｎ，Ｎ’−ジニトロソペンタメチレンテトラミン，ベンゼンスルホニルヒドラジッド，ビステトラゾール・ジアンモニウム，ビステトラゾール・ピペラジン，５−フェニールテトラゾールなどの有機系化学発泡剤が挙げられる。また、化学発泡剤としては、炭酸塩，重炭酸塩，亜硝酸塩，水素化物などの無機系化学発泡剤が挙げられる。さらに、化学発泡剤としては、酸化亜鉛，酸化マグネシウムなどの金属酸化物，脂肪酸塩，無機亜鉛化合物，有機亜鉛化合物，尿素系化合物，有機酸，アミン化合物などの発泡助剤が挙げられる。これら化学発泡剤は単独で用いてもよく、２種以上をブレンドして用いてもよい。
【００４０】
図６（ａ）に示されるように、ホッパ６１に投入されたペレット状の発泡絶縁材料３１は、シリンダ６２に供給され、シリンダ６２内で回転するスクリュ６３によって練り混ぜられてペースト状にされる。さらに、ペースト状に練り混ぜられた発泡絶縁材料３１は、スクリュ６３の回転に伴って押出ヘッド５０に送り込まれる。同時に、押出ヘッド５０には、加熱（予熱）された信号線導体２ａ，２ｂが導入される。具体的には、図６（ｂ）に示されるように、予熱された信号線導体２ａ，２ｂが心金５２の貫通孔を通して心金５２から送り出される。一方、押出ヘッド５０に送り込まれたペースト状の発泡絶縁材料３１は、押出ヘッド５０の供給路５３を通して、心金５２から送り出される信号線導体２ａ，２ｂの周囲に吐出される。これによって、一対の信号線導体２ａ，２ｂの周囲に、これら信号線導体２ａ，２ｂを一括被覆する絶縁体３が形成される。すなわち、一対の信号線導体２ａ，２ｂの周囲に発泡絶縁材料３１を押し出す被覆工程と該被覆工程に先立って一対の信号線導体２ａ，２ｂを加熱する予熱工程とを経て絶縁体３が形成される。
【００４１】
ここで、被覆工程においては、２本の信号線導体２ａ，２ｂの温度差が１０℃以内に維持される。具体的には、絶縁体３が形成される際の信号線導体２ａ，２ｂの温度差が１０℃以内に維持される。より具体的には、図６（ｂ）に示される心金５２から送り出される際の信号線導体２ａ，２ｂの温度差が１０℃以内になるように、予熱工程における信号線導体２ａ，２ｂの加熱温度が調節される。例えば、押出ヘッド５０に導入される前に信号線導体２ａ，２ｂの温度が測定され、その測定結果に基づいて、一方の信号線導体２ａ，２ｂに対する加熱温度と他方の信号線導体２ｂ，２ａに対する加熱温度の少なくとも何れか一方が調節される。
【００４２】
ここで、予熱工程では、直接加熱又は誘導加熱によって信号線導体２ａ，２ｂが加熱（予熱）される。直接加熱によって信号線導体２ａ，２ｂが予熱される場合には、電熱線ヒータやガスバーナなどの熱源がそれぞれの信号線導体２ａ，２ｂに対して設けられる。この場合、熱源と押出ヘッド５０との間において信号線導体２ａ，２ｂの温度差が測定され、その測定結果に基づいて、一方の信号線導体用の熱源と他方の信号線導体用の熱源の少なくとも何れか一方が手動により、または自動的に調節される。
【００４３】
また、誘導加熱によって信号線導体２ａ，２ｂが予熱される場合には、交流電源に接続されたコイルがそれぞれの信号線導体２ａ，２ｂに対して設けられる。それぞれの信号線導体２ａ，２ｂは、対応するコイルの内側を通過する際にジュール熱によって加熱（予熱）される。この場合、コイルと押出ヘッド５０との間において信号線導体２ａ，２ｂの温度差が測定され、その測定結果に基づいて、一方の信号線導体用のコイルと他方の信号線導体用のコイルの少なくとも何れか一方に対する印加電圧が手動により、または自動的に調節される。
【００４４】
何れの場合も、信号線導体２ａ，２ｂが押出ヘッド５０に導入される直前に、信号線導体２ａ，２ｂの温度差を測定することが望ましい。従って、信号線導体２ａ，２ｂの温度を測定するセンサなどの測定手段は、押出ヘッド５０の直前に配置されることが望ましい。
【００４５】
以上のように、被覆工程における信号線導体２ａ，２ｂの温度差を１０℃以内に維持することによって絶縁体３の発泡度を均一に保つことができる。すなわち、長手方向の異なる２以上の領域において第１発泡度と第２発泡度との差が５．０％以内に保たれている差動信号伝送用ケーブル１Ａ（図１）が製造される。換言すれば、一方の信号線導体２ａのキャパシタンスと他方の信号線導体２ｂのキャパシタンスとの差が１．０％以内に保たれている差動信号伝送用ケーブル１Ａ（図１）が製造される。
【００４６】
本発明は前記実施の形態に限定されるものではなく、その要旨を逸脱しない範囲で種々変更可能である。例えば、信号線導体２ａ，２ｂには、銅線に代えて各種合金線を用いることができる。また、信号線導体２ａ，２ｂは、単線でもよく、撚り線でもよい。さらに、信号線導体２ａ，２ｂの表面には、銀めっきに代えて、錫めっき，ニッケルめっき，金めっきなどの各種めっきを施すことができる。
【００４７】
絶縁体３を形成する樹脂を発泡させる方式は、上述の化学発泡方式に限られず、物理発泡方式でもよい。例えば、図６（ａ）に示される供給機構６０において樹脂材料にガスを溶解させてもよい。樹脂材料に溶解されるガスとしては、窒素ガス，炭酸ガス，空気，ペンタン，ブタン，フロン化合物などが挙げられる。
【符号の説明】
【００４８】
１Ａ    差動信号伝送用ケーブル
１ａ    サンプル
２ａ，２ｂ    信号線導体
３    絶縁体
３ａ    左側絶縁体
３ｂ    右側絶縁体
４    スキン層
５    シールド層
６    押さえテープ
１１    第１領域
１２，２２    端面
２１    第２領域
３０    気泡
３１    発泡絶縁材料
４０    被覆装置
５０    押出ヘッド
５１    口金
５２    心金
５３    供給路（隙間）
６０    供給機構
６１    ホッパ
６２    シリンダ
６３    スクリュ
【図１】
2015146298.tif 000003
【図２】
2015146298.tif 000004
【図３】
2015146298.tif 000005
【図４】
2015146298.tif 000006
【図５】
2015146298.tif 000007
【図６】
2015146298.tif 000008